【事件の表示】
　特願２０１６−５５２２１０「連続的監視デバイスのための適応型インターフェース」拒絶査定不服審判事件〔平成２７年　５月　７日国際公開、ＷＯ２０１５／０６６０５１、平成２８年１２月２２日国内公表、特表２０１６−５３９７６０、請求項の数（２９）〕について、次のとおり審決する。
【結　論】
　原査定を取り消す。
　本願の発明は、特許すべきものとする。
【理　由】
第１　手続の経緯
　本願は、２０１４年（平成２６年）１０月２８日（パリ条約による優先権主張　２０１３年１０月３１日　米国）を国際出願日とする出願であって、平成３０年６月２８日付けで拒絶理由が通知され、同年１２月３日付けで意見書及び手続補正書が提出され、平成３１年３月６日付けで拒絶査定されたところ、令和元年７月１１日に拒絶査定不服審判の請求がなされ、同時に手続補正がなされたものである。その後当審において令和２年３月１３日付けで拒絶理由通知（以下、「当審拒絶理由通知」という。）がされ、同年９月１６日付けで意見書及び手続補正書が提出されたものである。
第２　原査定の概要
　原査定（平成３１年３月６日付け拒絶査定）の概要は次のとおりである。
　本願請求項１〜７、９〜１５、１７、１９〜２１、２３〜２６、３０に係る発明は、以下の引用文献Ａに記載された発明であるから、特許法第２９条第１項第３号に該当し、特許を受けることができない。また、本願請求項１〜１５、１７、１９〜３０に係る発明は、以下の引用文献Ａに記載された発明と、以下の引用文献Ｂに記載された技術事項に基づいて、その発明の属する技術の分野における通常の知識を有する者が容易に発明をすることができたものであるから特許法第２９条第２項の規定により特許を受けることができない。
引用文献等一覧
Ａ　特表２０１２−５１９５４７号公報
Ｂ　特表２００８−５０１４２６号公報
第３　当審拒絶理由の概要
　当審拒絶理由の概要は次のとおりである。
　本願請求項１〜２９に係る発明は、以下の引用文献１に記載された発明と、以下の引用文献２に記載された技術事項に基づいて、その発明の属する技術の分野における通常の知識を有する者が容易に発明をすることができたものであるから特許法第２９条第２項の規定により特許を受けることができない。
引用文献等一覧
１　特表２０１２−５１９５４７号公報（拒絶査定時の引用文献Ａ）
２　特開平９−２７６２３４号公報（当審において新たに引用した文献）
第４　本願発明
　本願請求項１〜２９に係る発明（以下、それぞれ「本願発明１」〜「本願発明２９」という）は、令和２年９月１６日付けの手続補正書による手続補正で補正された特許請求の範囲の請求項１〜２９に記載された事項により特定される発明であるところ、本願発明１は以下のとおりである。（下線部は、補正箇所を示す）
「　【請求項１】
　分析物監視デバイスの適応型構成のための方法であって、
　第１の報告形式特性を含む第１の報告形式を使用して、ホストの生理学的情報に関する第１の報告を伝送することと、
　前記ホストの少なくとも１つの挙動または状況特性を含む、挙動または状況情報のうちの少なくとも１つを判定することと、
　前記少なくとも１つの挙動及び／または状況特性を、１つ以上の挙動または状況基準と比較することと、
　調節を特定するメッセージを伝送することと、
　前記比較に少なくとも部分的に基づいて、前記報告形式を調節することであって、前記報告形式は、前記第１の報告形式特性とは異なる第２の報告形式特性を含
み、前記第２の報告形式特性は、裁量のレベルの変更および報告頻度の変更を含む
　前記第２の報告形式を使用して、生理学的情報に関する第２の報告を伝送することと、
　を含み、前記方法はさらに、
　前記調節の確認を受信すると、後続の報告のための前記第２の報告形式を起動することと、
　前記調節の否認を受信するか、または前記メッセージに対する応答を受信しない場合、後続の報告のための前記第１の報告形式を起動することと、
を含み、
　前記ホストの前記状況特性は、前記ホスト自身の状態を検出すること、またはGPSおよび／またはカレンダー情報に基づいて社会的状況を判定することによって決定される、前記ホストの状況である、
方法。」
　なお、本願発明２〜２５は、本願発明１を限定・減縮した発明である。
　本願発明２６は、方法の発明である本願発明１〜２５のいずれかを行うように構成される、プロセッサモジュールを備える一体型システムの発明である。
　本願発明２７は、方法の発明である本願発明１〜２５のいずれかを行うように構成される、プロセッサモジュールを備えるホストにおけるグルコース濃度を監視するための電子デバイスの発明である。
　本願発明２８は、方法の発明である本願発明１〜２５のいずれかを行うように構成される、プロセッサモジュールを備えるホストにインスリンを送達するための電子デバイスの発明である。
　本願発明２９は、方法の発明である本願発明１〜２５のいずれかに記載の前記方法を使用して前記特定された状況または挙動に基づいて、分析物監視デバイスに適応型報告を提供するように構成される、適応エンジンを備える分析物監視デバイスの適応型構成のためのシステムの発明である。
第５　引用文献の記載事項
１　本願の優先権主張日前に頒布され、原査定及び当審の拒絶理由に引用された引用文献１には、下記の事項が記載されている（下線は当審が付与した。）。
（１−１）
「【００２７】
　図１は、特定実施形態の
生理学的監視システム１００（たとえば、アラーム通知システム）
【００２８】
　生理学的監視システム１００は、
複数のベッドサイド装置
患者監視装置１１０を含んでいる
患者監視装置１１０は、複数のセンサ１０２、
および通信モジュール
を含んで
・・・
【００３０】
　患者監視装置１１０の１つ以上のセンサ１０２が、医療患者に装着されている。これらの
センサ１０２は、
パルスオキシメータ
（１−２）
「【０１３７】
　図９は、
患者監視用グラフィカル・ユーザ・インタフェース（ＧＵＩ）９００
は、看護師詰所システムなどに設けることが可能である
【０１３８】
　ＧＵＩ　９００には、いくつかの表示領域がある。図示した実施形態では、
ＧＵＩ　９００は、患者状態表示領域９１０を含んでいる
複数の患者の状態を示す
【０１３９】
　
患者状態表示領域９１０は、複数の患者状態モジュール９１２を含
各患者状態モジュール９１２は、グラフィカル状態インジケータ９１４を表示することが可能である。
【０１４０】
　様々な実装において、
グラフィカル状態インジケータ９１４は、色、形状などを変えることにより、異なる患者監視器状態のうちの１つを示す
アラーム状態が存在する場合は、グラフィカル状態インジケータ９１４を赤色にしてアラームを示す
アラーム状態がなく、状況情報があり、患者監視器が患者およびネットワークに接続されている場合は、グラフィカル状態インジケータ９１４を緑色にする
【０１４１】
　有利なことに、グラフィカル状態インジケータ９１４は、患者監視器の状態を、一目でわかるように示す。したがって、患者状態表示領域９１０では、何人かの患者に対応するいくつかのグラフィカル状態インジケータ９１４が、これらの患者に対応する患者監視器についての一目でわかるビューを表示する。したがって、臨床担当者は、アラーム、接続状態、および状況情報に関する患者側のニーズを容易に理解することが可能である。
【０１４２】
　現在利用可能な看護師詰所コンピュータ用グラフィカル・ユーザ・インタフェースは、各患者について複数の波形または
変化中の生理学的パラメータの数値を表示する
（１−３）
「【０１６７】
　図１４は、臨床担当者トークン１４１０の存在を自動的に検出できる患者監視装置１４００の概略図である。実施形態によっては、臨床担当者トークン１４１０は、たとえば、臨床担当者が一日中装着または携帯することを意図された可搬型アイテムである。患者監視装置１４００は、臨床担当者トークンの存在に基づいて、その臨床担当者の存在を認識することが可能である。
【０１６８】
　患者監視装置１４００は、（たとえば、通信モジュール１４０２のような）検出器を含んでいる。
患者監視装置１４００は
ディスプレイ１４０４およびプロセッサ１４０６を含ん
プロセッサ１４０６を用いて、
１人以上の患者から収集された生理学的情報に基づく臨床的に有用なタスク
アラーム状態の特定
を実行することが可能
２　本願の優先権主張日前に頒布され、当審の拒絶理由に引用された引用文献２には、下記の事項が記載されている。
（２−１）
「【０００８】
【発明の実施の形態】図１は、本発明の情報報知システムの一実施例の構成を示すブロック図である。生理生体情報センサ１（計測手段）は、例えば、工場などにおいて作業をしている作業者（測定対象者）の生理生体情報を継続して計測する。この生理生体情報センサ１は、皮膚電導度センサ、脈波センサ、心拍センサ、呼吸数センサ、手首または胴体加速度センサなどにより構成される。
・・・
【００１１】生理生体情報センサ１により検出された生理生体情報は、生理生体情報記録部２（生体情報記録手段）に供給され、Ａ／Ｄ変換されて記録される。生理生体情報記録部２に記録された生理生体情報ｘ1乃至ｘnは、適宜読み出され、データ処理装置３に供給されるようになされている。」
（２−２）
「【００３７】このような表示が行われている状態において、ステップＳ１５に進み、使用者が、マウス２１またはキーボード２２などを操作して、表示の範囲の変更を指令したか否かを判定し、ＹＥＳと判定された場合、ステップＳ１６に進み、その指令に対応する範囲に表示が変更される。
・・・
【００４０】ステップＳ１５において、表示範囲を変更する入力がなされていないと判定された場合、ステップＳ１７に進み、操作の終了が指令されたか否かが判定される。終了が指令されていない場合においては、ステップＳ１５に戻り、同様の処理が繰り返し実行される。ステップＳ１７において、提示の終了が指令されたと判定された場合、処理は終了される。」
　これらの記載からみて、引用文献２には、生理生体情報センサ１により検出された生理生体情報が、生理生体情報記録部２記録され、適宜読み出され、データ処理装置３に供給され、処理され、指示に応じて表示されるという技術事項が記載されていると認められる。
３　本願の優先権主張日前に頒布され、原査定の拒絶理由に引用された引用文献Ｂには、下記の事項が記載されている。
（３−１）
「【００３８】
　＜２．グルコース・モニタ＞
　図１Ａは、本発明の実施態様に従った特徴モニタリング・システム１００のブロック図である。特徴モニタリング・システム１００は、概して、ユーザの血糖レベル等の測定される特徴に対応する信号を生成するセンサを採用するセンサ・セット１０２を含む。センサ・セット１０２は、それらの信号を解釈してそのユーザに関する特徴の示度または値、すなわち特徴の測定値を生成するべく設計された特徴モニタ１０４にそれらの信号を伝達する。センサ信号はセンサ入力１０６を介してモニタ１０４に入り、センサ入力１０６を介してプロセッサ１０８に信号が伝達される。プロセッサ１０８は、モニタ１０４内においてセンサの示度を決定し、かつ操作する。それに加えて特徴モニタ１０４は、限定の意図ではないが、特徴の示度が適用される治療計画における補助となる追加の機能を提供する。たとえばモニタが、限定の意図ではないが、食事、エクササイズ、およびそのほかの糖尿病の治療に影響を与える活動を追跡してもよい。これらの追加の機能は、モニタ１０４によって決定される特徴の示度と組み合わせて、あるいはそれらと独立させることが可能である。本発明のモニタは、多くの実施態様を有し、たとえばさらに、ユーザに対する投薬を提供する注入ポンプと結合することができる。オプションとしてこのモニタには目立たない設計がなされ、たとえば腕時計を彷彿させるような目立たないモニタに設計される。」
（３−２）
「【００４９】
　好ましい実施態様においては、センサ・セット１０２が、ユーザの状態を表す特定の血液パラメータのモニタリングのために使用されるタイプの柔軟な薄膜電気化学センサの正確な配置を容易にする。好ましくは、センサが体内のグルコース・レベルをモニタし、米国特許第４，５６２，７５１号；同第４，６７８，４０８号；同第４，６８５，９０３号；または同第４，５７３，９９４号（これらは参照によりこれに援用される）の中で述べられているとおりの外部または移植可能なタイプの自動もしくは半自動薬物注入デバイスとともに使用して、糖尿病患者に対するインシュリンの送達をコントロールすることができる。それに加えて特徴モニタ１０４は、通常、薬物送達およびモニタリングが単一デバイス内において好都合に提供されるようにその種の薬物注入デバイス内に統合することができる。」
　これらの記載からみて、引用文献Ｂには、ユーザの血糖レベルに対応する信号を生成するセンサを採用するセンサ・セット１０２を含むモニタリング・システムという技術事項が記載されていると認められる。
第６　引用発明
１　上記第５（１−２）の「【０１４０】　様々な実装において、グラフィカル状態インジケータ９１４は、色、形状などを変えることにより、異なる患者監視器状態のうちの１つを示す。」との記載からみて、引用文献１には「グラフィカル状態インジケータ９１４は、色、形状などを変えることにより、異なる患者監視器状態のうちの１つを示す方法」について記載されているといえる。　　
２　上記第５（１−１）の「【００２７】図１は、特定実施形態の生理学的監視システム１００（たとえば、アラーム通知システム）を示しており、・・・【００２８】生理学的監視システム１００は、複数のベッドサイド装置、たとえば、患者監視装置１１０を含んでいる。様々な実施形態の患者監視装置１１０は、複数のセンサ１０２、１つ以上のセンサ処理モジュール１０４、および通信モジュール、たとえば、ネットワーク・インタフェース・モジュール１０６を含んでいる。」との記載から、図１の患者監視装置１１０は、様々な実施形態の「患者監視装置」を表しているといえる。
　また、同（１−３）の「【０１６７】図１４は、臨床担当者トークン１４１０の存在を自動的に検出できる患者監視装置１４００の概略図である。・・・【０１６８】患者監視装置１４００は、（たとえば、通信モジュール１４０２のような）検出器を含んでいる。」との記載から、「患者監視装置１４００」は「患者監視装置１１０」が「臨床担当者トークン１４１０の存在を自動的に検出できるもの」に限定されているものといえ、「様々な実施形態の患者監視装置１１０」の１つであるから、「患者監視装置１４００」を「患者監視装置１１０」と上位概念で標記する。
３　上記１、２と上記第５（１−１）〜（１−３）の記載を踏まえれば、引用文献１には、次の発明が記載されていると認められる。なお、参考のため、引用発明の認定に使用した引用文献１の摘記番号を、付記してある。
「（Ａ）生理学的監視システム１００（たとえば、アラーム通知システム）であって、複数のベッドサイド装置である患者監視装置１１０を含み、患者監視装置１１０は、パルスオキシメータを含む複数のセンサ１０２、および通信モジュールを含み、
さらに、生理学的監視システム１００は、看護師詰所システムなどに設けることが可能である、患者監視用グラフィカル・ユーザ・インタフェース（ＧＵＩ）９００を含み、（１−１）（１−２）
（Ｂ）ＧＵＩ　９００は、患者状態表示領域９１０を含み、患者状態表示領域９１０は複数の患者の状態を示し、患者状態表示領域９１０は、複数の患者状態モジュール９１２を含み、各患者状態モジュール９１２は、グラフィカル状態インジケータ９１４を表示することが可能であり、（１−２）
（Ｃ）患者監視装置１１０は、ディスプレイ１４０４およびプロセッサ１４０６を含み、プロセッサ１４０６を用いて１人以上の患者から収集された生理学的情報に基づく臨床的に有用なタスク（アラーム状態の特定）を実行し、（１−３）
（Ｄ）アラーム状態がなく、状況情報があり、患者監視器が患者およびネットワークに接続されている場合は、グラフィカル状態インジケータ９１４を緑色にし、アラーム状態が存在する場合は、グラフィカル状態インジケータ９１４を赤色にしてアラームを示し、変化中の生理学的パラメータの数値を表示し、（１−２）
（Ｅ）グラフィカル状態インジケータ９１４は、色、形状などを変えることにより、異なる患者監視器状態のうちの１つを示す方法。（１−２）」
（以下「引用発明」という）
第７　対比・判断
１　本願発明１について
（１）対比
　本願発明１と引用発明とを対比する。
ア　分析物監視デバイスの適応型構成のための方法について
（ア）引用発明の「（Ａ）生理学的監視システム１００（たとえば、アラーム通知システム）」は「患者監視装置１１０を含み、患者監視装置１１０は、パルスオキシメータを含む複数のセンサ１０２」「を含」んでおり、パルスオキシメータは、経皮的動脈血酸素飽和度（SpO2)をリアルタイムでモニターするための医療機器であるから、動脈血が分析物であるといえる。
　さらに、引用発明の「（Ａ）」「生理学的監視システム１００は、看護師詰所システムなどに設けることが可能である、患者監視用グラフィカル・ユーザ・インタフェース（ＧＵＩ）９００を含」むのであるから、ＧＵＩ９００は、SpO2を監視しているといえる。
（イ）そうすると、引用発明の「（Ａ）」「複数のベッドサイド装置である患者監視装置１１０を含み、患者監視装置１１０は、パルスオキシメータを含む複数のセンサ１０２、および通信モジュールを含」み、さらに「看護師詰所システムなどに設けることが可能である、患者監視用グラフィカル・ユーザ・インタフェース（ＧＵＩ）９００」を含む「生理学的監視システム１００（たとえば、アラーム通知システム）」は、本願発明１の「分析物監視デバイス」に相当する。
（ウ）本願明細書には「【０００６】収集された情報に基づいて、個別に調整された構成を提供するように連続的に適応するシステムは、外来通院環境における疾患の慢性的な管理のための健康管理補助を
適応型
適応には、ユーザインターフェース、
適応させることが含まれ得る。
適応型報告
機能的特徴が調節されるように、受信した情報に基づいて報告スタイルまたは形式（例えば、医療デバイスもしくはそのデータと関連するヒト検出可能インターフェースの）を更新または変化させるプロセス、性質、または行為を指す。
　そうすると、引用発明の「（Ｄ）アラーム状態がなく、状況情報があり、患者監視器が患者およびネットワークに接続されている場合は、グラフィカル状態インジケータ９１４を緑色にし、アラーム状態が存在する場合は、グラフィカル状態インジケータ９１４を赤色にしてアラームを示し、変化中の生理学的パラメータの数値を表示し、」「（Ｅ）グラフィカル状態インジケータ９１４は、色、形状などを変えることにより、異なる患者監視器状態のうちの１つを示す」ことは、受信した情報に基づいて報告形式を変化させており、患者監視器状態の適応型報告といえる。
（エ）以上より、引用発明の「（Ａ）生理学的監視システム１００（たとえば、アラーム通知システム）であって、複数のベッドサイド装置である患者監視装置１１０を含み、患者監視装置１１０は、パルスオキシメータを含む複数のセンサ１０２、および通信モジュールを含み、
さらに、生理学的監視システム１００は、看護師詰所システムなどに設けることが可能である、患者監視用グラフィカル・ユーザ・インタフェース（ＧＵＩ）９００を含み」、
「（Ｄ）アラーム状態がなく、状況情報があり、患者監視器が患者およびネットワークに接続されている場合は、グラフィカル状態インジケータ９１４を緑色にし、アラーム状態が存在する場合は、グラフィカル状態インジケータ９１４を赤色にしてアラームを示し、変化中の生理学的パラメータの数値を表示し、
（Ｅ）グラフィカル状態インジケータ９１４は、色、形状などを変えることにより、異なる患者監視器状態のうちの１つを示す方法。」は、本願発明１の「分析物監視デバイスの適応型構成のための方法」に相当する。
イ　第１の報告を伝送することについて
　引用発明の「（Ｄ）アラーム状態がなく、状況情報があり、患者監視器が患者およびネットワークに接続されている場合は、グラフィカル状態インジケータ９１４を緑色にし」、「変化中の生理学的パラメータの数値を表示」することは、「グラフィカル状態インジケータ９１４」を用い、「変化中の生理学的パラメータの数値を表示」する報告形式において、「アラーム状態がなく、状況情報があり、患者監視器が患者およびネットワークに接続されている場合は、グラフィカル状態インジケータ９１４を緑色にする」というホストの生理学的情報に関する１つの報告形式特性といえるので、本願発明１の「第１の報告形式特性を含む第１の報告形式を使用して、ホストの生理学的情報に関する第１の報告を伝送すること」に相当する。
ウ　ホストの状況特性を判定し、基準と比較することについて
　引用発明の「（Ａ）」「複数のベッドサイド装置である患者監視装置１１０を含み、患者監視装置１１０は、パルスオキシメータを含む複数のセンサ１０２、および通信モジュールを含み」、「（Ｃ）患者監視装置１１０は、ディスプレイ１４０４およびプロセッサ１４０６を含」む「生理学的監視システム１００（たとえば、アラーム通知システム）」が、「プロセッサ１４０６を用いて１人以上の患者から収集された生理学的情報に基づく臨床的に有用なタスク（アラーム状態の特定）を実行」することは、患者から収集されたパルスオキシメータの出力を基準と比較して患者のアラーム状態を判定することが通常のパルスオキシメータの用い方といえるから、本願発明１の「前記ホストの少なくとも１つの挙動または状況特性を含む、挙動または状況情報のうちの少なくとも１つを判定することと、
　前記少なくとも１つの挙動及び／または状況特性を、１つ以上の挙動または状況基準と比較すること」であって、「前記ホストの前記状況特性は、前記ホスト自身の状態を検出すること」「によって決定される、前記ホストの状況である」ことに相当するといえる。
エ　比較に基づいて前記報告形式を調節することについて　
（ア）上記イを踏まえれば、引用発明の「（Ｄ）」「アラーム状態が存在する場合は、グラフィカル状態インジケータ９１４を赤色にしてアラームを示し、変化中の生理学的パラメータの数値を表示」することは、「グラフィカル状態インジケータ９１４」を用い、「変化中の生理学的パラメータの数値を表示」する報告形式において、「アラーム状態が存在する場合は、グラフィカル状態インジケータ９１４を赤色にしてアラームを示す」というホストの生理学的情報に関する２つめの報告形式特性といえる。
　そして、グラフィカル状態インジケータ９１４を赤色にした報告形式は、グラフィカル状態インジケータ９１４を緑色にした報告形式とは異なる２つめの報告形式といえる。
（イ）そうすると、引用発明の「（Ｄ）アラーム状態がなく、状況情報があり、患者監視器が患者およびネットワークに接続されている場合は、グラフィカル状態インジケータ９１４を緑色にし、アラーム状態が存在する場合は、グラフィカル状態インジケータ９１４を赤色にしてアラームを示し、変化中の生理学的パラメータの数値を表示」することと、
　本願発明１の「前記比較に少なくとも部分的に基づいて、前記報告形式を調節することであって、前記報告形式は、前記第１の報告形式特性とは異なる第２の報告形式特性を含み、前記第２の報告形式特性は、裁量のレベルの変更および報告頻度の変更を含むことと、
　前記第２の報告形式を使用して、生理学的情報に関する第２の報告を伝送すること」とは、
「前記比較に少なくとも部分的に基づいて、前記報告形式を調節することであって、前記報告形式は、前記第１の報告形式特性とは異なる第２の報告形式特性を含むことと、
　前記第２の報告形式を使用して、生理学的情報に関する第２の報告を伝送すること」で共通する。
（２）よって、本願発明１と引用発明とは、
「分析物監視デバイスの適応型構成のための方法であって、
　第１の報告形式特性を含む第１の報告形式を使用して、ホストの生理学的情報に関する第１の報告を伝送することと、
　前記ホストの少なくとも１つの挙動または状況特性を含む、挙動または状況情報のうちの少なくとも１つを判定することと、
　前記少なくとも１つの挙動及び／または状況特性を、１つ以上の挙動または状況基準と比較することと、
　前記比較に少なくとも部分的に基づいて、前記報告形式を調節することであって、前記報告形式は、前記第１の報告形式特性とは異なる第２の報告形式特性を含むことと、
　前記第２の報告形式を使用して、生理学的情報に関する第２の報告を伝送することと、
　を含み、
　前記ホストの前記状況特性は、前記ホスト自身の状態を検出することによって決定される、前記ホストの状況である、
方法。」
の発明である点で一致し、次の相違点１〜２で相違する。
（相違点１）
　第２の報告形式特性が、本願発明１では、「裁量のレベルの変更および報告頻度の変更を含」むのに対して、引用発明では、そのような特定をしていない点。
（相違点２）
　本願発明１では、「調節を特定するメッセージを伝送することと、
前記調節の確認を受信すると、後続の報告のための前記第２の報告形式を起動することと、
　前記調節の否認を受信するか、または前記メッセージに対する応答を受信しない場合、後続の報告のための前記第１の報告形式を起動することと、
を含」むのに対して、引用発明では、そのような構成を含んでいない点。
（３）相違点についての判断
ア　相違点１について検討する。
　「裁量のレベルの変更および報告頻度の変更を含」む「第２の報告形式特性」に相当する構成は、引用文献２には記載されていないし、本願優先日前において周知技術であるともいえない。
　
イ　そうすると、引用発明及び引用文献２記載の事項から、当業者であっても上記相違点１に係る本願発明１の発明特定事項を容易に想起し得たとはいえない。
ウ　したがって、本願発明１は、相違点２を検討するまでもなく、当業者であっても引用発明及び引用文献２記載の事項に基づいて容易に発明をすることができたものであるとはいえない。
２　本願発明２〜２５について
　本願発明２〜２５は、本願発明１を技術的に限定・減縮した発明であるから、本願発明１と同じ理由により、引用発明および引用文献２記載の事項に基づいて当業者が容易に発明をすることができたものではない。
３　本願発明２６について
　本願発明２６は、本願発明１〜２５の方法のうちのいずれかを行うように構成される、プロセッサモジュールと、を備える、ホストにおけるグルコース濃度を監視するため及び前記ホストにインスリンを送達するための一体型システムの発明であるから、本願発明１と同じ理由により、引用発明および引用文献２記載の事項に基づいて当業者が容易に発明をすることができたものではない。
４　本願発明２７について
　本願発明２７は、本願発明１〜２５の方法のうちのいずれかを行うように構成される、プロセッサモジュールと、を備える、ホストにおけるグルコース濃度を監視するための電子デバイスの発明であるから、本願発明１と同じ理由により、引用発明および引用文献２記載の事項に基づいて当業者が容易に発明をすることができたものではない。
５　本願発明２８について
　本願発明２８は、本願発明１〜２５の方法のうちのいずれかを行うように構成される、プロセッサモジュールと、を備える、ホストにインスリンを送達するための電子デバイスの発明であるから、本願発明１と同じ理由により、引用発明および引用文献２記載の事項に基づいて当業者が容易に発明をすることができたものではない。
６　本願発明２９について
　本願発明２８は、本願発明１〜２５の方法のいずれかに記載の前記方法を使用して前記特定された状況または挙動に基づいて、分析物監視デバイスに適応型報告を提供するように構成される、適応エンジンと、
　を備える、前記システムの発明であるから、本願発明１と同じ理由により、引用発明および引用文献２記載の事項に基づいて当業者が容易に発明をすることができたものではない。
第８　原査定についての判断
　令和２年９月１６日付けの補正により、補正後の請求項１〜２９は、「第２の報告形式特性は、裁量のレベルの変更および報告頻度の変更を含む」という技術的事項を有するものとなった。当該技術事項は、原査定における引用文献Ａ（当審拒絶理由における引用文献１）及びＢには記載されておらず、本願優先日前における周知技術でもないので、本願発明１〜２９は、当業者であっても、原査定における引用文献Ａ及びＢに基づいて容易に発明できたものではない。
　したがって、原査定を維持することはできない。
第９　むすび
　以上のとおり、原査定の理由により、本願を拒絶することはできない。
　また、他に本願を拒絶すべき理由を発見しない。
　よって、結論のとおり審決する。